(57)【要約】      （修正有）【課題】着用者に対して、肉体的だけでなく、心理的にも負担感を与えることを低減することができる防護衣を提供する。【解決手段】前身頃と後身頃とを備え、人体に着用して使用される防護衣であって、後身頃１２の内側面側に、肩掛け部２０ａ、２０ｂ及び腰部固定部２１ａ、２１ｂが設けられている。防護衣を着用した際に、肩掛け部と腰部固定部とにより、防護衣の荷重が肩と腰とに分散されるうえに、肩と腰に密着感を感じ、さらに、肩掛け部と腰部固定部は、後身頃の内側面側であるため、外側からは分からないので、肉体的だけでなく、心理的にも負担感を与えることを低減できる。【選択図】図２
0003213033.tif 000002
【実用新案登録請求の範囲】
【請求項１】
前身頃と後身頃とを備え、人体に着用して使用される防護衣であって、前記後身頃の内側面側には、肩掛け部及び腰部固定部が設けられていることを特徴とする防護衣。
【請求項２】
前記肩掛け部及び前記腰部固定部は連続するベルトにより形成されていることを特徴とする請求項１記載の防護衣。
【請求項３】
前記肩掛け部及び前記腰部固定部は互いに交差する２本のベルトにより形成され、一のベルトは着用者の一方側の肩に係止する一方の肩掛け部、及び着用者の他方側の腰部に係止される他方の腰部固定部を備え、他のベルトは着用者の他方側の肩に係止する他方の肩掛け部、及び着用者の一方側の腰部に係止される一方の腰部固定部を備えていることを特徴とする請求項２記載の防護衣。
【請求項４】
前記２本のベルトの肩掛け部は、先端部が後身頃に縫着されて固定されていると共に、腰部固定部の先端部には相互に他のベルトの腰部固定部と長さ調節しうるように着脱可能に接合しうる接合部が設けられていることを特徴とする請求項３記載の防護衣。
【請求項５】
前記２本のベルトは、前記肩掛け部は前記後身頃の内側面側に配置されると共に、前記肩掛け部から前記腰部固定部に至る間の部位は折りまわされて前記後身頃の内部に配置され、前記腰部固定部は、再度折りまわされて前記後身頃の内側面側に配置されることを特徴とする請求項４記載の防護衣。
【請求項６】
前記２本のベルトはゴム製であることを特徴とする請求項３乃至５のいずれか１項に記載の防護衣。
【請求項７】
前記前身頃と前記後身頃とは、着脱可能に接合固定されることを特徴とする請求項１乃至６のいずれか１項に記載の防護衣。
【考案の詳細な説明】
【技術分野】
【０００１】
本考案は、人体に着用して使用される防護衣に関するものである。
【背景技術】
【０００２】
従来から、刃物や銃弾などから身を守る防護衣は、様々なものが提案され、実施に供されている。
【０００３】
例えば、特許文献１には、防護衣の１つである耐刃防護衣が開示されている。
【０００４】
この耐刃防護衣は、交番に勤務する警察官が勤務中に着用が義務付けられているものである。
【０００５】
その他、自衛官が着用する防弾防護衣など、様々な職業で防護衣は着用されるが、いずれの防護衣も、内部に金属板が設けられていたり、特殊な繊維が何重にも重ねて形成されていたり、或いはこれらを複合したりする構造であるため、重くて、肩や腰に負担がかかる。
【０００６】
しかも、着用者は、重いにもかかわらず、長時間着用しなければならない場合が多く、肩こりや腰痛の原因になるばかりでなく、疲労感の蓄積の原因にもなっていた。
【先行技術文献】
【特許文献】
【０００７】
【特許文献１】特開２０００−３４６５９５号公報
【考案の概要】
【考案が解決しようとする課題】
【０００８】
本考案は、以上のような従来の問題点を解消するためのものであって、その課題は、着用者に対して、肉体的だけでなく、心理的にも負担感を与えることを低減することができる防護衣を提供することにある。
【課題を解決するための手段】
【０００９】
前記課題を解決するために、請求項１記載の考案にあっては、前身頃と後身頃とを備え、人体に着用して使用される防護衣であって、前記後身頃の内側面側には、肩掛け部及び腰部固定部が設けられていることを特徴とする。
従って、前記防護衣を着用した際に、前記肩掛け部と前記腰部固定部とにより、前記防護衣の荷重が着用者の肩と腰とに分散されるうえに、前記防護衣の着用者は肩と腰に密着感を感じ、さらに、前記肩掛け部と前記腰部固定部は、前記後身頃の内側面側であるため、前記防護衣を着用した際も、外側からは分からない。
【００１０】
請求項２記載の考案にあっては、前記肩掛け部及び前記腰部固定部は連続するベルトにより形成されていることを特徴とする。
従って、前記防護衣を着用した際に、前記肩掛け部と前記腰部固定部とを連続させるベルトにより、前記防護衣の荷重が着用者の背中にも分散されるうえに、前記防護衣の着用者は背中にも密着感を感じる。
【００１１】
請求項３記載の考案にあっては、前記肩掛け部及び前記腰部固定部は互いに交差する２本のベルトにより形成され、一のベルトは着用者の一方側の肩に係止する一方の肩掛け部、及び着用者の他方側の腰部に係止される他方の腰部固定部を備え、他のベルトは着用者の他方側の肩に係止する他方の肩掛け部、及び着用者の一方側の腰部に係止される一方の腰部固定部を備えていることを特徴とする。
従って、前記防護衣の着用者は、ひねり動作を容易に行えるうえに、その間も荷重の分散と、密着感は保たれる。
【００１２】
請求項４記載の考案にあっては、前記２本のベルトの肩掛け部は、先端部が後身頃に縫着されて固定されていると共に、腰部固定部の先端部には相互に他のベルトの腰部固定部と長さ調節しうるように着脱可能に接合しうる接合部が設けられていることを特徴とする。
従って、前記腰部固定部の前記他のベルトへの前記２本のベルトの接合位置により、前記肩掛け部の長さ調節を行うことができる。
【００１３】
請求項５記載の考案にあっては、前記２本のベルトは、前記肩掛け部は前記後身頃の内側面側に配置されると共に、前記肩掛け部から前記腰部固定部に至る間の部位は折りまわされて前記後身頃の内部に配置され、前記腰部固定部は、再度折りまわされて前記後身頃の内側面側に配置されることを特徴とする。
従って、前記防護衣を着用した際も、外側からは分からない状態を保ったまま、前記腰部固定部の前記他のベルトへの前記２本のベルトの接合位置により、前記肩掛け部の長さ調節を行うことができる。
【００１４】
請求項６記載の考案にあっては、前記２本のベルトはゴム製であることを特徴とする。
従って、前記２本のベルトはゴム製であるため、ゴムの弾性力により、前記防護衣の着用者は、密着感を更に感じる。
【００１５】
請求項７記載の考案にあっては、前記前身頃と前記後身頃とは、着脱可能に接合固定されることを特徴とする。
従って、特に前記防護衣の重量が重い場合は補助が必要となる場合があるが、前記後身頃に前記肩掛け部及び前記腰部固定部が設けられているため、前記防護衣の前記後身頃を自分１人で装着することができる。
【考案の効果】
【００１６】
請求項１記載の防護衣にあっては、前身頃と後身頃とを備え、人体に着用して使用される防護衣であって、前記後身頃の内側面側には、肩掛け部及び腰部固定部が設けられた構成とされている。
従って、前記防護衣を着用した際に、前記肩掛け部と前記腰部固定部とにより、前記防護衣の荷重が着用者の肩と腰とに分散されるうえに、前記防護衣の着用者は肩と腰に密着感を感じ、さらに、前記肩掛け部と前記腰部固定部は、前記後身頃の内側面側であるため、前記防護衣を着用した際も、外側からは分からない。
その結果、前記防護衣を着用した際に、前記肩掛け部と前記腰部固定部とにより、前記防護衣の荷重が着用者の肩と腰とに分散されるうえに、前記防護衣の着用者は肩と腰に密着感を感じ、さらに、前記肩掛け部と前記腰部固定部は、前記後身頃の内側面側であるため、前記防護衣を着用した際も、外側からは分からないので、着用者に対して、肉体的だけでなく、心理的にも負担感を与えることを低減することができるうえに、前記防護衣の外観品質を変えないで済む。
【００１７】
請求項２記載の防護衣にあっては、前記肩掛け部及び前記腰部固定部は連続するベルトにより形成されている。
従って、前記防護衣を着用した際に、前記肩掛け部と前記腰部固定部とを連続させるベルトにより、前記防護衣の荷重が着用者の背中にも分散されるうえに、前記防護衣の着用者は背中にも密着感を感じる。
その結果、前記防護衣を着用した際に、前記肩掛け部と前記腰部固定部とを連続させるベルトにより、前記防護衣の荷重が着用者の背中にも分散されるうえに、前記防護衣の着用者は背中にも密着感を感じるので、着用者に対して、肉体的だけでなく、心理的にも負担感を与えることをより低減することができる。
【００１８】
請求項３記載の防護衣にあっては、前記肩掛け部及び前記腰部固定部は互いに交差する２本のベルトにより形成され、一のベルトは着用者の一方側の肩に係止する一方の肩掛け部、及び着用者の他方側の腰部に係止される他方の腰部固定部を備え、他のベルトは着用者の他方側の肩に係止する他方の肩掛け部、及び着用者の一方側の腰部に係止される一方の腰部固定部を備えている。
従って、前記防護衣の着用者は、ひねり動作を容易に行えるうえに、その間も荷重の分散と、密着感は保たれる。
その結果、前記防護衣の着用者は、ひねり動作を容易に行えるうえに、その間も荷重の分散と、密着感は保たれるので、様々な動作時も、着用者に対して、肉体的だけでなく、心理的にも負担感を与えることを低減する効果を維持することができる。
【００１９】
請求項４記載の防護衣にあっては、前記２本のベルトの肩掛け部は、先端部が後身頃に縫着されて固定されていると共に、腰部固定部の先端部には相互に他のベルトの腰部固定部と長さ調節しうるように着脱可能に接合しうる接合部が設けられている。
従って、前記腰部固定部での前記２本のベルトの接合位置により、前記肩掛け部の長さ調節を行うことができる。
その結果、前記腰部固定部での前記２本のベルトの接合位置により、前記肩掛け部の長さ調節を行うことができるので、例えば同じＬサイズの着用者などでも、微妙に体形が異なるが、体形に合わせて、前記肩掛け部の長さ調節を行うことができ、背筋をもっと伸ばしたいと思ったときは、少しきつめとなる位置に調節することもできる。
【００２０】
請求項５記載の防護衣にあっては、前記２本のベルトは、前記肩掛け部は前記後身頃の内側面側に配置されると共に、前記肩掛け部から前記腰部固定部に至る間の部位は折りまわされて前記後身頃の内部に配置され、前記腰部固定部は、再度折りまわされて前記後身頃の内側面側に配置される。
従って、前記防護衣を着用した際も、外側からは分からない状態を保ったまま、前記腰部固定部での前記２本のベルトの接合位置により、前記肩掛け部の長さ調節を行うことができる。
その結果、前記防護衣を着用した際も、外側からは分からない状態を保ったまま、前記腰部固定部での前記２本のベルトの接合位置により、前記肩掛け部の長さ調節を行うことができるので、外観品質を変えないまま、例えば同じＬサイズの着用者などでも、微妙に体形が異なるが、体形に合わせて、前記肩掛け部の長さ調整を行うことができ、背筋をもっと伸ばしたいと思ったときは、少しきつめとなる位置に調節することもできる。
【００２１】
請求項６記載の防護衣にあっては、前記２本のベルトはゴム製である。
従って、前記２本のベルトはゴム製であるため、ゴムの弾性力により、前記防護衣の着用者は、密着感を更に感じる。
その結果、前記２本のベルトはゴム製であるため、ゴムの弾性力により、前記防護衣の着用者は、密着感を更に感じるので、心理的に負担感を与えることを更により低減することができる。
【００２２】
請求項７記載の防護衣にあっては、前記前身頃と前記後身頃とは、着脱可能に接合固定される。
従って、特に前記防護衣の重量が重い場合は補助が必要となる場合があるが、前記後身頃に前記肩掛け部及び前記腰部固定部が設けられているため、前記防護衣の前記後身頃を自分１人で装着することができる。
その結果、特に前記防護衣の重量が重い場合は補助が必要となる場合があるが、前記後身頃に前記肩掛け部及び前記腰部固定部が設けられているため、前記防護衣の前記後身頃を自分１人で装着することができるので、着替えを他の人の補助無しで、自分１人で行うことができ、任務に就く際や、任務から解かれた際などに容易に対応することができ、煩雑さがない。
【図面の簡単な説明】
【００２３】
【図１】図１は、本考案の実施形態の防護衣の概略構成を示す正面図である。
【図２】図２は、本考案の実施形態の防護衣の後身頃を内側面側から見た正面図である。
【考案を実施するための形態】
【００２４】
以下、本考案に係る防護衣を、実施形態に基づき、図面を参照して説明する。
【００２５】
先ず、実施形態の構成について説明する。
図１及び図２は、本考案の実施形態の防護衣１０の概略構成を示している。
【００２６】
この実施形態の防護衣１０は、図１及び図２に示したように、前身頃１１と後身頃１２とを備え、人体に着用して使用される防護衣である。
【００２７】
この防護衣１０は、後身頃１２の肩覆い部１３，１３の先端内側面に夫々設けられた雄の面ファスナー１４，１４と、前身頃１１の肩覆い部１５，１５の外側面に夫々設けられた雌の面ファスナー１６，１６とが着脱可能とされていると共に、後身頃１２の腰部の外側面から夫々側方へ突出して設けられた合体用ベルト１７，１７の先端の差込部１８，１８と、前身頃１１の腰部に夫々設けられた前身頃１１の外側の腰部に夫々設けられた差込固定部１９，１９とが着脱可能とされていることにより、前身頃１１と後身頃１２とは、着脱可能に接合固定されるようになっている。
【００２８】
また、前身頃１１及び後身頃１２は、いずれも、内部に図示省略の金属板が設けられているとともに、必要箇所には、図示省略の強度の高い特殊繊維材が設けられており、この防護衣１０は、一例として、Ｌサイズで、約２ｋｇの重量を有する。
【００２９】
本考案は、図２に示したように、防護衣１０の後身頃１２に特長を有する。
【００３０】
具体的には、この防護衣１０は、後身頃１２の内側面側には、肩掛け部２０ａ，２０ｂ及び腰部固定部２１ａ，２１ｂが設けられている。
【００３１】
ここで、肩掛け部２０ａ，２０ｂ及び腰部固定部２１ａ，２１ｂは、夫々、繋ぎ部２２を介して、連続するゴム製のベルト２３ａ，２３ｂにより形成されている。
【００３２】
また、これら２本のベルト２３ａ，２３ｂは、背中の部分で、互いに交差しており、一のベルト２３ａは着用者の一方側の肩（左肩）に係止する一方の肩掛け部２０ａ、及び着用者の他方側の腰部（右腰部）に係止される他方の腰部固定部２１ａを備え、他のベルト２３ｂは着用者の他方側の肩（右肩）に係止する他方の肩掛け部２０ｂ、及び着用者の一方側の腰部（左腰部）に係止される一方の腰部固定部２１ｂを備えている。
【００３３】
さらに、２本のベルト２３ａ，２３ｂの肩掛け部２０ａ，２０ｂは、先端部が後身頃１２の内側面に夫々縫着されて固定されていると共に、腰部固定部２１ａ，２１ｂの先端部には相互に一のベルト２３ａ及び他のベルト２３ｂの先端部を構成する補助ベルト部２４，２４の雌の面ファスナーから成る接合部２５，２５と長さ調節しうるように着脱可能に接合しうる接合部としての雄の面ファスナー２６，２６が夫々設けられている。
【００３４】
ここで、補助ベルト部２４，２４は、一方の先端部に雄の面ファスナー２７が設けられており、他方の雌の面ファスナーと着脱可能とされ、長さ調節が可能とされている。
【００３５】
また、補助ベルト部２４，２４の後身頃１２の内側面への固定側部分２８，２８は、ゴム製である。
【００３６】
さらに、２本のベルト２３ａ，２３ｂは、肩掛け部２０ａ，２０ｂは後身頃１２の内側面側に配置されると共に、図示省略の孔を通して、肩掛け部２０ａ，２０ｂから腰部固定部２１ａ，２１ｂに至る間の部位は折りまわされて後身頃１２の内部に配置され、腰部固定部２１ａ，２１ｂは、図示省略の孔を通して、再度折りまわされて後身頃１２の内側面側に配置されている。
【００３７】
また、２本のベルト２３，２３の交差部分は、後身頃１２の内部に設けられたベルト通し２９に通されている。
【００３８】
なお、実際には、２本のベルト２３，２３は、後身頃１２内部の金属板の後側を通しているが、分かり易いように、便宜上、図２のように図示している。
【００３９】
次に、この実施形態の作用効果について説明する。
【００４０】
この本考案の実施形態の防護衣１０は、図１及び図２に示したように、前身頃１１と後身頃１２とを備え、人体に着用して使用される防護衣であって、後身頃１２の内側面側には、肩掛け部２０ａ，２０ｂ及び腰部固定部２１ａ，２１ｂが設けられた構成とされている。
【００４１】
従って、防護衣１０を着用した際に、肩掛け部２０ａ，２０ｂと腰部固定部２１ａ，２１ｂとにより、防護衣１０の荷重が着用者の肩と腰とに分散されるうえに、防護衣１０の着用者は肩と腰に密着感を感じ、さらに、肩掛け部２０ａ，２０ｂと腰部固定部２１ａ，２１ｂは、後身頃１２の内側面側であるため、防護衣１０を着用した際も、外側からは分からない。
【００４２】
その結果、防護衣１０を着用した際に、肩掛け部２０ａ，２０ｂと腰部固定部２１ａ，２１ｂとにより、防護衣１０の荷重が着用者の肩と腰とに分散されるうえに、防護衣１０の着用者は肩と腰に密着感を感じ、さらに、肩掛け部２０ａ，２０ｂと腰部固定部２１ａ，２１ｂは、後身頃１２の内側面側であるため、防護衣１０を着用した際も、外側からは分からないので、着用者に対して、肉体的だけでなく、心理的にも負担感を与えることを低減することができるうえに、防護衣１０の外観品質を変えないで済む。
【００４３】
この防護衣１０の外観品質を変えないで済む効果は、例えば、警察官や自衛官などは、この防護衣１０も制服となりうるので、特に有効である。
【００４４】
ここで、肩掛け部２０ａ，２０ｂ及び腰部固定部２１ａ，２１ｂは連続するゴム製のベルト２３ａ，２３ｂにより形成されている。
【００４５】
従って、防護衣１０を着用した際に、肩掛け部２０ａ，２０ｂと腰部固定部２１ａ，２１ｂとを連続させるベルト２３ａ，２３ｂにより、防護衣１０の荷重が着用者の背中にも分散されるうえに、ベルト２３，２３はゴム製であり長さ及び幅方向に伸縮することから、補助ベルト部２４，２４の接合部２５，２５の接合位置により伸長させた状態で接合した場合には、ベルト２３ａ，２３ｂにテンションが掛かった状態で着用者の身体に装着されることになり、防護衣１０の着用者は背中にも密着感を感じる。
【００４６】
その結果、防護衣１０を着用した際に、肩掛け部２０ａ，２０ｂと腰部固定部２１ａ，２１ｂとを連続させるベルト２３ａ，２３ｂにより、防護衣１０の荷重が着用者の背中にも分散されるうえに、防護衣１０の着用者は背中にも密着感を感じるので、着用者に対して、肉体的だけでなく、心理的にも負担感を与えることをより低減することができる。
【００４７】
また、肩掛け部２０ａ，２０ｂ及び腰部固定部２１ａ，２１ｂは互いに交差する２本のベルト２３ａ，２３ｂにより形成され、一のベルト２３ａは着用者の一方側の肩に係止する一方の肩掛け部２０ａ、及び着用者の他方側の腰部に係止される他方の腰部固定部２１ａを備え、他のベルト２３ｂは着用者の他方側の肩に係止する他方の肩掛け部２０ｂ、及び着用者の一方側の腰部に係止される一方の腰部固定部２１ｂを備えている。
【００４８】
従って、防護衣１０の着用者は、ひねり動作を容易に行えるうえに、その間も荷重の分散と、密着感は保たれる。
【００４９】
その結果、防護衣１０の着用者は、ひねり動作を容易に行えるうえに、その間も荷重の分散と、密着感は保たれるので、様々な動作時も、着用者に対して、肉体的だけでなく、心理的にも負担感を与えることを低減する効果を維持することができる。
【００５０】
さらに、２本のベルト２３ａ，２３ｂの肩掛け部２０ａ，２０ｂは、先端部が後身頃１２に縫着されて固定されていると共に、腰部固定部２１ａ，２１ｂの先端部には相互に他のベルト２３ｂの補助ベルト部２４の接合部２５と長さ調節しうるように着脱可能に接合しうる接合部としての雄の面ファスナー２７が設けられている。
【００５１】
従って、腰部固定部２１ａ，２１ｂでの２本のベルト２３ａ，２３ｂの接合位置により、肩掛け部２０，２０の長さ調節を行うことができる。
【００５２】
その結果、腰部固定部２１ａ，２１ｂでの２本のベルト２３ａ，２３ｂの接合位置により、肩掛け部２０ａ，２０ｂの長さ調節を行うことができるので、例えば同じＬサイズの着用者などでも、微妙に体形が異なるが、体形に合わせて、肩掛け部２０ａ，２０ｂの長さ調節を行うことができ、背筋をもっと伸ばしたいと思ったときは、少しきつめとなる位置に調節することもできる。
【００５３】
また、２本のベルト２３ａ，２３ｂは、肩掛け部２０ａ，２０ｂは後身頃１２の内側面側に配置されると共に、肩掛け部２０ａ，２０ｂから腰部固定部２１ａ，２１ｂに至る間の部位は折りまわされて後身頃１２の内部に配置され、腰部固定部２１ａ，２１ｂは、再度折りまわされて後身頃１２の内側面側に配置される。
【００５４】
従って、防護衣１０を着用した際も、外側からは分からない状態を保ったまま、腰部固定部２１ａ，２１ｂでの２本のベルト２３ａ，２３ｂの接合位置により、肩掛け部２０ａ，２０ｂの長さ調節を行うことができる。
【００５５】
その結果、防護衣１０を着用した際も、外側からは分からない状態を保ったまま、腰部固定部２１ａ，２１ｂでの２本のベルト２３ａ，２３ｂの接合位置により、肩掛け部２０ａ，２０ｂの長さ調節を行うことができるので、外観品質を変えないまま、例えば同じＬサイズの着用者などでも、微妙に体形が異なるが、体形に合わせて、前記肩掛け部の長さ調整を行うことができ、背筋をもっと伸ばしたいと思ったときは、少しきつめとなる位置に調節することもできる。
【００５６】
また、２本のベルト２３ａ，２３ｂだけでなく、補助ベルト部２５，２５の固定側部分２８，２８もゴム製であるため、ゴムの弾性力により、防護衣１０の着用者は、密着感を更に感じる。
【００５７】
その結果、２本のベルト２３ａ，２３ｂだけでなく、補助ベルト部２５，２５の固定側部分２８，２８もゴム製であるため、ゴムの弾性力により、防護衣１０の着用者は、密着感を更に感じるので、心理的に負担感を与えることを更により低減することができる。
【００５８】
また、前身頃１１と後身頃１２とは、着脱可能に接合固定される。
【００５９】
従って、特に防護衣１０の重量が重い場合は補助が必要となる場合があるが、後身頃１２に肩掛け部２０ａ，２０ｂ及び腰部固定部２１ａ，２１ｂが設けられているため、防護衣１０の後身頃１２を自分１人で装着することができる。
【００６０】
その結果、特に防護衣１０の重量が重い場合は補助が必要となる場合があるが、後身頃１２に肩掛け部２０ａ，２０ｂ及び腰部固定部２１ａ，２１ｂが設けられているため、防護衣１０の後身頃１２を自分１人で装着することができるので、着替えを他の人の補助無しで、自分１人で行うことができ、任務に就く際や、任務から解かれた際などに容易に対応することができ、煩雑さがない。
【００６１】
以上、本考案に係る防護衣の実施形態について図面を参照して詳述してきたが、具体的な構成は、この実施形態に限らず、本考案の要旨を逸脱しない程度の設計的変更は、本考案に含まれる。
【００６２】
例えば、上記した実施形態では、防護衣１０を、基本的に内部に金属板が設けられたものとしたが、これに限定されず、特殊な繊維が何重にも重ねて形成されていたり、或いはこれらを複合したりする構造で実施してもよい。
【００６３】
また、上記した実施形態では、防護衣１０を、前身頃１１と後身頃１２とに分離されており、着脱可能に接合固定されるようにしたが、これに限定されず、例えば、前身頃１１と後身頃１２とが片側で一体に連続しており、残る側のみを着脱することにより、着替えができる防護衣などで実施してもよい。
【００６４】
さらに、上記した実施形態では、防護衣１０が前身頃１１と後身頃１２のみに分離された比較的単純な構成としたが、これに限定されず、より複雑な構成で実施してもよい。
【００６５】
このようにより複雑な構成とした場合は、防護衣が重いだけでなく、チャックを閉めるなど、着替えをする際にも、自分１人で行うことが更に困難であるが、本考案に係る防護衣によれば、後身頃に肩掛け部及び腰部固定部が設けられているため、防護衣の後身頃を自分１人で装着し、この後身頃を核として着替えを行えば、他の人の補助無しで、自分１人で行うことができ、煩雑さがない。
【産業上の利用可能性】
【００６６】
本考案に係る防護衣は、警察官、自衛官、工員などの様々な職業で着用して広く使用されるので、産業上の利用可能性を有している。
【符号の説明】
【００６７】
１０    防護衣
１１    前身頃
１２    後身頃
１３    肩覆い部
１４    雄の面ファスナー
１５    肩覆い部
１６    雌の面ファスナー
１７    合体用ベルト
１８    差込部
１９    差込固定部
２０ａ  肩掛け部
２０ｂ  肩掛け部
２１ａ  腰部固定部
２１ｂ  腰部固定部
２２    繋ぎ部
２３ａ  ベルト
２３ｂ  ベルト
２４    補助ベルト部
２５    接合部
２６    雄の面ファスナー（接合部）
２７    雄の面ファスナー
２８    補助ベルト部の固定側部分
２９    ベルト通し
【図１】
0003213033.tif 000003
【図２】
0003213033.tif 000004